(57)【要約】【課題】  本発明の目的は優先ダイヤルを受信可能にダイヤル受信回路を割当てる。【解決手段】  オフフックの順序に応じて、ダイヤル番号を受信するためのダイヤル受信回路を割当てる受信ダイヤルリソース装置１０において、複数の前記ダイヤル受信回路において最後に割当てたダイヤル受信回路でダイヤル受信中のダイヤル番号を保持する受信ダイヤル番号保持部１４と、ダイヤル受信中にオフフックを検出すると、前記受信中ダイヤル番号が優先ダイヤル情報に登録されているか否か判定する優先ダイヤル判定部１５と、受信中ダイヤル番号が優先ダイヤル情報に登録されていないと判定すると、該受信中ダイヤル番号のダイヤル受信を停止し、オフフックのために当該ダイヤル受信回路を割当てる割当管理部とを備える。【選択図】        図１
2006197069.tif 000002
【特許請求の範囲】
【請求項１】
オフフックの順序に応じて、ダイヤル番号を受信するためのダイヤル受信回路を割当てる受信ダイヤルリソース方法において、
複数の前記ダイヤル受信回路において最後に割当てたダイヤル受信回路でダイヤル受信中のダイヤル番号を保持すること、
前記ダイヤル受信中にオフフックを検出すると、前記受信中ダイヤル番号が優先ダイヤル情報に登録されているか否か判定すること、
前記受信中ダイヤル番号が優先ダイヤル情報に登録されていないと判定すると、該受信中ダイヤル番号のダイヤル受信を停止し、前記オフフックのために当該ダイヤル受信回路を割当てることを特徴とする受信ダイヤルリソース方法。
【請求項２】
オフフックの順序に応じて、ダイヤル番号を受信するためのダイヤル受信回路を割当てる受信ダイヤルリソース装置において、
複数の前記ダイヤル受信回路において最後に割当てたダイヤル受信回路でダイヤル受信中のダイヤル番号を保持する受信ダイヤル番号保持部と、
前記ダイヤル受信中にオフフックを検出すると、前記受信中ダイヤル番号が優先ダイヤル情報に登録されているか否か判定する優先ダイヤル判定部と、
前記受信中ダイヤル番号が優先ダイヤル情報に登録されていないと判定すると、該受信中ダイヤル番号のダイヤル受信を停止し、前記オフフックのために当該ダイヤル受信回路を割当てる割当管理部とを備えることを特徴とする受信ダイヤルリソース装置。
【発明の詳細な説明】
【技術分野】
【０００１】
本発明は、ダイヤル受信の順序に応じて受信回路を割当てる受信ダイヤルリソース方法および受信ダイヤルリソース装置に関するものである。
【背景技術】
【０００２】
オフフック（発呼）後に、ダイヤルされる番号を取得するためのダイヤル受信回路が複数あり、これらのダイヤル受信回路は、オフフックの順序に応じて割当てられている。
割当てられたダイヤル受信回路は、ダイヤルされる連続する番号を順次受信して保持し、全てのダイヤル番号を取得すると、当該ダイヤル番号を交換制御に引き渡し、引渡しが終了すると割当てから解放される。
【０００３】
ところで、ダイヤル受信回路の数は、非特許文献１に示すように大群化効果に基づいて決定されている。すなわち、呼が発生したとき、全ての回線が使用中で回線接続が拒否される呼損率を用いて回線使用率と回線数との関係を求めると、回線数が多ければ回線使用率は上昇するが、ある程度以上になると回線使用率は上昇することなく飽和状態になる。これが回線群の大群化効果と称されており、飽和状態となる回線使用率における回線数に基づいて、ダイヤル受信回路の数が決められている。
【０００４】
従って、例えば群発的な呼の同時的な発生に対しては、呼の総数よりダイヤル受信回路の数が少ない場合があり、全ての呼に対しダイヤル受信回路を割当てれないおそれがある。
【０００５】
しかし、発呼数よりダイヤル受信回路の数が少ないことは稀有であり、稀有な輻輳のために多くのダイヤル受信回路を備えるよりも、大群化効果に基づいてダイヤル受信回路の数を設定するほうが、費用対効果において優れている。
【０００６】
ところで、ダイヤル受信回路の総数より発呼数が多い輻輳状態において、全てのダイヤル受信回路が割当てられると、その次のオフフックに対しては、割当てるダイヤル受信回路が無いことから、ダイヤル受信回路を割当てることができない。従って使用中のダイヤル受信回路が解放されるまで、オフフックに対するダイヤル受信回路の割当てが行われることはない。
【非特許文献１】情報通信技術ハンドブック  頁２０および頁２１、「回線交換網のトラヒック設計」      オーム社  昭和６２年１２月２０日発行
【発明の開示】
【発明が解決しようとする課題】
【０００７】
ところで、前記した輻輳状態で全てのダイヤル受信回路の割当が行われた後に、緊急ダイヤルのためのオフフックを受けても、割当て可能のダイヤル受信回路が存在せず、優先的にダイヤル受信するためのダイヤル受信回路を割当てることができず、これが問題となっていた。
【０００８】
従って前記した課題に鑑みて、本発明の目的は優先ダイヤルを受信可能にダイヤル受信回路を割当てる受信ダイヤルリソース方法および受信ダイヤルリソース装置を提供することにある。
【課題を解決するための手段】
【０００９】
本発明は、以上の点を解決するために、次の構成を採用する。
〈構成１〉
オフフックの順序に応じて、ダイヤル番号を受信するためのダイヤル受信回路を割当てる受信ダイヤルリソース方法において、複数の前記ダイヤル受信回路において最後に割当てたダイヤル受信回路でダイヤル受信中のダイヤル番号を保持すること、ダイヤル受信中にオフフックを検出すると、受信中ダイヤル番号が優先ダイヤル情報に登録されているか否か判定すること、受信中ダイヤル番号が優先ダイヤル情報に登録されていないと判定すると、該受信中ダイヤル番号のダイヤル受信を停止し、オフフックのために当該ダイヤル受信回路を割当てることを特徴とする。
【００１０】
〈構成２〉
オフフックの順序に応じて、ダイヤル番号を受信するためのダイヤル受信回路を割当てる受信ダイヤルリソース装置において、複数のダイヤル受信回路において最後に割当てたダイヤル受信回路でダイヤル受信中のダイヤル番号を保持する受信ダイヤル番号保持部と、前記ダイヤル受信中にオフフックを検出すると、受信中ダイヤル番号が優先ダイヤル情報に登録されているか否か判定する優先ダイヤル判定部と、受信中ダイヤル番号が優先ダイヤル情報に登録されていないと判定すると、該受信中ダイヤル番号のダイヤル受信を停止し、オフフックのために当該ダイヤル受信回路を割当てる割当管理部とを備えることを特徴とする。
【発明の効果】
【００１１】
本発明によれば、最後に割当てたダイヤル受信回路でダイヤル受信中のダイヤル番号を保持し、該ダイヤル受信中にオフフックを検出すると、受信中ダイヤル番号が優先ダイヤル情報に登録されているか否か判定を行う。受信中ダイヤル番号が優先ダイヤル情報に登録されていないと判定すると、該受信中ダイヤル番号のダイヤル受信を停止し、前記オフフックのために当該ダイヤル受信回路を割当てることから、割当てたダイヤル受信回路で、優先ダイヤルを受信することができる。従って、本発明によれば、輻輳状態において優先ダイヤルを受信することができ、受信した優先ダイヤルに基づいて回線接続を行うことができる。
【発明を実施するための最良の形態】
【００１２】
以下、本発明の実施形態について、図を用いて詳細に説明する
【実施例１】
【００１３】
本発明の受信ダイヤルリソース装置１０は、図１に示すように、オフフック検出部２０と、複数のダイヤル受信回路３０と共に、回線加入者収容装置１００に備えられている。
回線加入者収容装置１００は、回線交換装置とも称されており、加入者（加入者端末）に割当てられた呼出番号に基づいて加入者間の回線接続を行う回線接続機能を備えており、加入者端末が接続する加入者回線の接続管理を行う。
尚、本実施例では、回線加入者収容装置１００が接続管理する加入者端末の総数をｎとして以降の説明を行う。
【００１４】
オフフック検出部２０は、発呼のための加入者端末におけるオフフックを検出し、オフフック検出信号を受信ダイヤルリソース装置１０へ出力する。
オフフック検出信号を受けた受信ダイヤルリソース装置１０は、オフフック後にダイヤルされる番号を受信するダイヤル受信回路３０を選定する。
【００１５】
ダイヤル受信回路３０は複数設けられており、その総数をｍとして以降の説明を行う。尚、ダイヤル受信回路３０の割当順序において、最終の割当をｍ番目、その次の割当をｍ＋１番目として説明を行う。
【００１６】
ところで、前記した加入者端末の総数ｎとダイヤル受信回路３０の総数ｍとの関係は、大群化効果に基づいてｎ＞ｍとなるように回線加入者収容装置１００に備えるダイヤル受信回路３０の数が設定されている。
【００１７】
ダイヤル受信回路３０は、加入者端末においてダイヤルされる番号を順に受信し、連続するダイヤル番号として取得する。ダイヤル受信回路３０で取得したダイヤル番号に基づいて、加入者端末間の回線接続の制御が行われる。
【００１８】
受信ダイヤルリソース装置１０は、優先ダイヤル番号の登録を行う優先ダイヤル番号登録部１１と、該優先ダイヤル番号登録部で登録される優先ダイヤル番号を優先登録ダイヤル情報として保持する優先ダイヤル情報保持部１２と、ダイヤル受信回路３０の割当管理を行う割当管理部１３と、最終に割当たダイヤル番号を保持する受信ダイヤル番号保持部１４と、該受信ダイヤル番号で保持するダイヤル番号が優先ダイヤル情報に示されている優先ダイヤル情報か否かを判定する優先ダイヤル判定部１５とを備える。
【００１９】
優先ダイヤル番号登録部１１は、ダイヤル番号が「１１０」や「１１９」などの緊急ダイヤルや優先的に接続したい優先ダイヤルを登録すべく、図示しない入力端末を備えている。入力端末で入力されたダイヤル番号は優先ダイヤルとして優先ダイヤル情報保持部１２へ送られる。
【００２０】
優先ダイヤル情報保持部１２は、優先ダイヤル番号登録部１１で登録された優先ダイヤルを優先ダイヤル情報として保持する。尚、優先ダイヤル情報には、必要に応じて複数の優先ダイヤルが示されている。
【００２１】
割当管理部１３は、オフフック検出部２０からのフック検出信号を受けると、ダイヤル受信回路３０の割当管理を行う。
ところで割当管理部１３は、ダイヤル受信回路３０が最後の割当、すなわちｍ番目の割当であるか否かの判定を行っており、ｍ番目（最後）の割当のとき、その旨を受信ダイヤル番号保持部１４に通知する。通知を受けた受信ダイヤル番号保持部１４は、ｍ番目に割当たダイヤル受信回路３０で受信中のダイヤル番号を保持する。
【００２２】
更に割当管理部１３は、ｍ番目の割当を行った後、ｍ＋１番目の割当のためのオフフック検出信号を受けると、ｍ番目に割当てたダイヤル受信回路でのダイヤル受信を停止すべく、ｍ番目のダイヤル受信回路の割当を解除する。その後割当管理部１３は、解除したダイヤル受信回路３０を、ｍ＋１番目のオフフック検出信号のために割当てる。
【００２３】
ところで、割当管理部１３は、ｍ番目に割当たダイヤル受信回路３０で受信中のダイヤル番号が優先ダイヤル番号のおそれがないとき、ｍ番目に割当たダイヤル受信回路３０の割当解除を行う。この解除の有無判定は、優先ダイヤル判定部１５で行われており、該優先ダイヤル判定部１５からの判定結果に基づいて割当管理部１３は、ｍ番目に割当てたダイヤル受信回路３０の割当解除を行っている。
【００２４】
優先ダイヤル判定部１５は、受信ダイヤル番号保持部１４で保持するｍ番目の受信中のダイヤル番号が優先ダイヤル情報保持部１２で保持する優先ダイヤル番号に登録されているダイヤル番号のおそれがあるか否か判定を行い、該判定結果を割当管理部１３に通知する。
【００２５】
割当管理部１３は、優先ダイヤル判定部１５での判定結果において、受信中のダイヤル番号が優先ダイヤルのとき、ｍ番目に割当てたダイヤル受信回路３０の割当を続行し、優先ダイヤルではないとき、ｍ番目に割当てたダイヤル受信回路３０の解除を行う。
【００２６】
ところで、ダイヤル受信回路３０はダイヤル番号の受信を完了すると、次のダイヤル受信のために当該ダイヤル受信回路３０の割当が解除される。従って、優先ダイヤルの判定を受信中のダイヤル番号に対して行うのは、ダイヤル受信回路３０でダイヤル番号の受信が完了すると、次のダイヤル受信のためにダイヤル受信回路３０が解放され、解放されたダイヤル受信回路３０でｍ＋１番目のオフフックのための割当が行われるからである。
【００２７】
具体的には、優先ダイヤルとして「１１０」が優先ダイヤル情報保持部１２に保持されており、ｍ番目に割当てたダイヤル受信回路３０で受信したダイヤル番号が「１」であり、該ダイヤル番号が受信ダイヤル番号保持部１４で保持されたとき、優先ダイヤル判定部１５は、優先ダイヤルの「１１０」において最初の「１」（最初にダイヤルされる上位桁）と、受信ダイヤル番号保持部１４で保持する「１」とを比較し、比較結果を割当管理部１３に出力する。割当管理部１３は、同じであればｍ番目に割当てたダイヤル受信回路３０で受信するダイヤル番号は、優先ダイヤルである可能性があると判断し、ｍ番目の割当を継続する。
【００２８】
一方、ｍ番目に割当てたダイヤル受信回路３０で受信したダイヤル番号が「０」であり、該ダイヤル番号が受信ダイヤル番号保持部１４で保持されたとき、優先ダイヤル判定部１５は、優先ダイヤルの「１１０」の最初の「１」と、受信ダイヤル番号保持部１４で保持する「０」とを比較し、比較結果を割当管理部１３に出力する。比較結果を受けた割当管理部１３は、不一致であればｍ番目に割当てたダイヤル受信回路３０で受信するダイヤル番号は、優先ダイヤルでないと判断し、ｍ番目に割当てたダイヤル受信回路３０の割当解除を行う。
【００２９】
従って割当管理部１３は、ｍ番目に割当てたダイヤル受信回路３０で受信中のダイヤル番号が優先ダイヤル番号のおそれがある場合には、当該ダイヤル受信回路３０の割当を継続し、受信中のダイヤル番号が優先ダイヤルでないとき、ｍ番目に割当てたダイヤル受信回路３０の割当を解除する。
【００３０】
尚、前記した例では優先ダイヤルの判定を１桁で行う例で説明したが、受信ダイヤルリソース装置１０の設計仕様に基づいて、その判定桁数は適宜設定される。
【００３１】
次に、本発明の受信ダイヤルリソース装置１０が備えられた回線加入者収容装置１００の動作を図２のフローチャートに沿って説明する。
尚、予め優先ダイヤルが優先ダイヤル番号登録部１１で登録され、優先ダイヤル情報として優先ダイヤル情報保持部１２で保持されている。
【００３２】
加入者により加入者端末のフックが外され、これをオフフック検出部２０が検出すると、オフフック検出信号を受信ダイヤルリソース装置１０へ出力する（ステップＳ１）。
オフフック検出信号を受けた受信ダイヤルリソース装置１０は、割当管理部１３でオフフックの検出順序に応じてダイヤル受信回路３０の割当を行う（ステップＳ２）。
【００３３】
オフフックの検出順序に応じて、順にダイヤル受信回路３０が割当られ、最後のｍ番目のダイヤル受信回路３０が割当てられると（ステップＳ３）、ｍ番目に割当てたダイヤル受信回路３０から、受信中のダイヤル番号を逐次取得して受信ダイヤル番号保持部１４で保持する（ステップＳ４）。
【００３４】
ｍ番目に割当たダイヤル受信回路３０でダイヤル番号を受信中に、オフフック検出部２０でオフフックが検出され（ステップＳ５）、オフフック検出信号を受けた受信ダイヤルリソース装置１０は、受信ダイヤル番号保持部１４で保持する受信中のダイヤル番号が優先ダイヤル情報に登録されているダイヤル番号であるか否かを優先ダイヤル判定部１５で判定する（ステップＳ６）。
【００３５】
この判定で、優先ダイヤル判定部１５が受信中のダイヤル番号は優先ダイヤルの可能性が高いと判断すると、ｍ番目に割当たダイヤル受信回路３０の割当を解除（解放）する（ステップＳ７）。割当管理部１３は、解除したダイヤル受信回路３０をｍ＋１番目のオフフック検出のために割当てる（ステップＳ８）。
【００３６】
前記したように、本発明の受信ダイヤルリソース装置１０によれば、ｍ番目に割当てたダイヤル受信回路３０でダイヤル受信中に、ｍ＋１番目のオフフックを検出すると、受信中のダイヤル番号が優先ダイヤルであるか否か判定を行い、優先ダイヤルである場合には、ｍ＋１番目のオフフックの検出のためのダイヤル受信回路３０のリソースを行わず受信中の優先ダイヤルの受信を継続し、優先ダイヤルではないとき、ｍ＋１番目のオフフックのためにダイヤル受信回路３０のリソースを行う。これにより、受信中のダイヤル番号が優先ダイヤルではないとき、ｍ＋１番目のオフフック検出後にダイヤルされる番号を受信することができる。つまり、ｍ＋１番目のオフフックを検出後にダイヤルされる番号が優先ダイヤルであるとき、その優先ダイヤル番号を確実に受信することができる。
【００３７】
本実施例では、ｍ個のリソースのうち、最後のダイヤル（ｍ番目のリソースを使用しているダイヤル者）に対して、ｍ＋１番目のオフフックが発生した場合の優先制御について述べたが、これに限る必要はなくｍ番目やｍ−１番目などのオフフックが発生した場合の優先制御（制御対象リソースがｍ＋１番目以外のリソース制御）にも本発明を適用してもよい。
【図面の簡単な説明】
【００３８】
【図１】本発明の受信ダイヤルリソース装置を備えた回線加入者装置のブロック図である。
【図２】本発明の受信ダイヤルリソース装置を備えた回線加入者装置の動作を示すフローチャートである。
【符号の説明】
【００３９】
１０  受信ダイヤルリソース装置
１１  優先ダイヤル番号登録部
１２  優先ダイヤル情報保持部
１３  割当管理部
１４  受信ダイヤル番号保持部
１５  優先ダイヤル判定部
２０  オフフック検出部
３０  ダイヤル受信回路
【図１】
2006197069.tif 000003
【図２】
2006197069.tif 000004